(57)【要約】      （修正有）【課題】包装材料の内面に食品の賞味期限等をタイムリーに印字することができ、かつ印字が食品などの内容物に接触しない包装体を提供する。【解決手段】開封口２内にジッパー３を装着して成る食品包装袋において、あらかじめ袋本体１の内面側にインクジェットインクを用いて食品の賞味期限等に関する情報を印字８し、この印字８部分の表面に前記ジッパー３のベーステープ４を重ねてヒートシールを行うことにより印字８部分が直接露出して内部の食品に印字用インクが触れて食品の品質を害することがないように構成すると共に、期限表示に関する煩わしさを解消する。【選択図】図３
2019119486.tif 000002
【特許請求の範囲】
【請求項１】
開封口内にジッパーテープを取り付けて成る包装用袋において、当該袋内に密封する食品の消費期限を予め前記ジッパーテープをヒートシールする部位に印字すると共にジッパーテープをこの印字した表面を覆うように重ねてヒートシールして成るジッパーテープ付食品包装用袋。
【請求項２】
前記印字はインクジェットプリンターを使用して行われていることを特徴とする請求項１に記載のジッパーテープ付食品包装用袋。
【請求項３】
前記ジッパーテープはそのベーステープ部分でヒートシールされていることを特徴とする請求項１又は２に記載のジッパーテープ付食品包装用袋。
【発明の詳細な説明】
【技術分野】
【０００１】
本発明は、開封口を一旦開封した後に密封し、再開封することができる所謂ジッパーを装着したジッパー付食品包装袋に関する。
【背景技術】
【０００２】
食品等の包装袋の場合、内部に包装した食品の消費期限等に関する食品表示基準をあらかじめ印刷しておくことが生産者には義務付けられている。
【０００３】
そこで、生産者は、食品の出荷日に合わせて消費期限等を包装袋に表記している。
【０００４】
この表記方法としては、包装袋のデザイン印刷時に一緒に印刷する方法が一般的であるが、このためにはあらかじめロスを無くすために出荷日が正確に解っていることが必要である。
【０００５】
しかし、出荷日は商品の売れ行き等との関係で必ずしも一定でないことから、あらかじめ出荷を予測しておくことは不可能である。
【０００６】
そのため、包装袋の印刷時には日時を印刷しておくことは少なく、後で出荷日あるいは製造時に合わせて印刷している。
【０００７】
しかし、このような印刷方法を行うと、出荷日によってはあらかじめ印刷しておいた消費期限との間に日にちの齟齬を来たし、事故の原因となり易い。
【０００８】
そこで、ジッパー付包装袋の場合、袋本体に印刷するのではなく、ジッパーテープ側に印刷しておくという方法が採られている。
【０００９】
例えば、特開平８−９１３９１号（特許文献１）には、ヒートシール層を有する包装用フィルムを繰出し走行させながら、縦および横のそれぞれのヒートシールによって、その包装用フィルムをヒートシールして包装袋を製造するに当たり、繰出し走行中の包装用フィルムのヒートシール層の、ヒートシールが施される部分に、所要の文字, 記号等を表示するインク層を形成することを特徴とする包装袋の製造方法が紹介されている。
【００１０】
しかし、この例の場合、包装用フィルム側に印刷をしておくことから、前記消費期限の調整等が必要となり、この期限を徒過するとその包装用フィルムを破棄する必要があり、無駄が多い。
【００１１】
また、特開２０１１−１５７１１７号（特許文献２）には包装材料の内面に印字画像を施し、この印字画像を挟んで包装材料をヒートシールした場合の利点を生かしながら、しかも、印字画像が食品などの内容物に接触した場合でも、その品質を損なうことのない包装体が紹介されている。
【００１２】
しかし、この例においても前記特許文献１と同じ問題が生じる。
【先行技術文献】
【特許文献】
【００１３】
【特許文献１】特開平８−９１３９１号
【特許文献２】特開２０１１−１５７１１７号
【発明の概要】
【発明が解決しようとする課題】
【００１４】
本発明は、斯かる点に鑑みて提供されるものであって、包装材料の内面に食品の賞味期限等をタイムリーに印字することができ、かつ印字が食品などの内容物に接触しない包装体を提供することを目的とする。
【課題を解決するための手段】
【００１５】
上記目的を達成するため、請求項１に記載の発明は、ジッパーテープ付食品包装用袋において、開封口内にジッパーテープを取り付けて成る包装用袋において、当該袋内に密封する食品の消費期限を予め前記ジッパーテープをヒートシールする部位に印字すると共にジッパーテープをこの印字した表面を覆うように重ねてヒートシールして成ることを特徴とするものである。
【００１６】
また、請求項２に記載の発明は、請求項１に記載のジッパーテープ付食品包装用袋において、前記印字はインクジェットプリンターを使用して行われていることを特徴とするものである。
【００１７】
また、請求項３に記載の発明は、請求項１又は２に記載のジッパーテープ付食品包装用袋において、前記ジッパーテープはそのベーステープ部分でヒートシールされていることを特徴とするものである。
【発明の効果】
【００１８】
上記食品包装袋の場合、ジッパーテープにより印字部分がカバーされているため、印字インキが直接食品に触れないばかりか、万一出荷日と消費期限とが不一致なった場合には、コスト的に有利な本体フィルム側のみの作り直しで済み、高価なジッパーを破棄したり、作成し直す無駄が無くなる。
【００１９】
また、本発明はインクジェット方式で印字を適宜行うことができるため、文字の変更を含めて手間がかからない。
【図面の簡単な説明】
【００２０】
【図１】本発明を実施した三方シール袋の開封口部分を示す正面図である。
【図２】ジッパーの取り付け例を示す袋の内面図である。
【図３】ジッパーと消費期限の印字部分を示す断面図である。
【発明を実施するための形態】
【００２１】
以下、本発明の実施形態を本書添付の図面に基づいて詳細に説明する。
【００２２】
図１は、袋本体の開封口部分を示し、符号の１は袋本体であって、所謂三方シール方式により製袋されており、この袋本体１の開封口２内には、図３に示すようにジッパー３が取り付けられている。
【００２３】
ジッパー３は、雄条６と雌条７が夫々ベーステープ４、５の表面に一体に突出して形成されており、このジッパー３は製造時にベーステープ４、５をダイスから押し出し、この上（表面）に雄条６と雌条７を同時に押し出してベーステープ４と５上で一体に溶着したのち、冷水中を通して固化して製造されている。
【００２４】
そして、このジッパー３は、袋本体１の開封口２に裏返しで印字された消費期限の印字部分８の上（表面）にヒートシールされており、故に印字用のインクジェットインキはベーステープ４により完全にカバーされている。
【００２５】
なお、印字８部分は雄条６又は雌条７のベーステープで４又は５のどちら側で覆うようにヒートシールしてもよい。
【００２６】
以上のように袋本体１の印字８部分はジッパー３のベーステープ４又は５でその表面が完全に覆われていることにより、この印字８部分が食品等と直接触れることがないため衛生的であると共に擦れて印字８が不鮮明となったりする心配がない。
【００２７】
なお、ジッパー３の印字８部分は原則として雄条６又は雌条７と重ならないようにしてあり、また、印字８部分の大きさによりベーステープ４又は５の巾の大きさも自由に設定される。
【符号の説明】
【００２８】
１  袋本体
２  開封口
３  ジッパー
４  ベーステープ
５  ベーステープ
６  雄条
７  雌条
８  印字
【図１】
2019119486.tif 000003
【図２】
2019119486.tif 000004
【図３】
2019119486.tif 000005